(57)【要約】      （修正有）【課題】ユーザーの意図しない記録結果となることを防ぐインクジェットプリンタを提供すること。【解決手段】記録液入りカートリッジ１３Ａと保護液カートリッジ１３Ｂの２種類のカートリッジ１３が着脱可能に装着される記録装置１において、２種類のカートリッジ１３が共に装着されているときに、２種類のカートリッジ１３のうち、記録液入りカートリッジ１３Ａの記録液を対象とした特定色画像処理を行う場合には、通知手段７において特定色画像処理が行われる旨の通知を行うこと。【選択図】図１
2009034875.tif 000002
【特許請求の範囲】
【請求項１】
記録液入りカートリッジと保護液入りカートリッジの２種類のカートリッジが着脱可能に装着される記録装置であって、
上記２種類のカートリッジが共に装着されているときに、上記２種類のカートリッジのうち、記録液入りカートリッジの記録液を対象とした特定色画像処理を行う場合には、通知手段により特定色画像処理が行われる旨の通知を行うことを特徴とする記録装置。
【請求項２】
記録液入りカートリッジと保護液入りカートリッジの２種類のカートリッジが着脱可能に装着される記録装置であって、
上記記録装置に装着されている上記カートリッジの種類を判別する種類判別手段と、
上記種類判別手段が、全て記録液入りカートリッジであると判別した場合は、上記全ての記録液入りカートリッジの記録液を対象とした全色画像処理を行い、上記種類判別手段が、上記２種類のカートリッジが共に装着されていると判別した場合は、上記２種類のカートリッジのうち、記録液入りのカートリッジの記録液を対象とした特定色画像処理を行う画像処理手段と、
を有し、
上記種類判別手段が、上記２種類のカートリッジが共に装着されていると判別した場合は、通知手段により上記特定色画像処理が行われる旨の通知を行う、
ことを特徴とする記録装置。
【請求項３】
前記種類判別手段により、前記記録装置に装着されている前記カートリッジが、全て保護液入りカートリッジであると判別された場合は、記録が出来ない旨を通知手段により通知することを特徴とする請求項２に記載の記録装置。
【請求項４】
記録液入りカートリッジと保護液入りカートリッジの２種類のカートリッジが着脱可能に装着される記録装置において、
上記カートリッジの種類と、このカートリッジに接続される記録ヘッドの過去の動作内容とを比較し、この比較結果に応じて所定のフラッシングを行うことを特徴とする記録装置。
【請求項５】
記録液入りカートリッジと保護液入りカートリッジの２種類のカートリッジが着脱可能に装着される記録装置を用いて印刷を行う制御装置であって、
上記記録装置に装着されている上記カートリッジの種類に関する判別を行う種類判別手段と、
上記記録装置に装着されている上記カートリッジが、全て記録液入りカートリッジであると判別された場合は、上記全ての記録液入りカートリッジの記録液を対象とした全色画像処理を行い、上記種類判別手段が、上記２種類のカートリッジが共に装着されていると判別した場合は、上記２種類のカートリッジのうち、記録液入りのカートリッジの記録液を対象とした特定色画像処理を行う画像処理手段と、
を有し、
上記種類判別手段により、上記２種類のカートリッジが共に装着されていると判別された場合は、通知手段により上記特定色画像処理が行われる旨の通知を行う、
ことを特徴とする制御装置。
【請求項６】
記録液入りカートリッジと保護液入りカートリッジの２種類のカートリッジが着脱可能に装着される記録装置の制御方法において、
上記記録装置に装着されている上記カートリッジの種類を判別する種類判別ステップと、
上記種類判別ステップで上記記録装置に装着されている上記カートリッジが全て記録液入りカートリッジであると判別された場合は、上記全ての記録液入りカートリッジの記録液を対象とした全色画像処理を行い、上記種類判別ステップで上記記録装置に上記２種類のカートリッジが共に装着されていると判別された場合は、上記２種類のカートリッジのうち、記録液入りのカートリッジの記録液を対象とした特定色画像処理を行う画像処理ステップと、
を有し、
上記種類判別ステップで上記２種類のカートリッジが共に装着されていると判別された場合は、上記特定色画像処理が行われる旨を通知する通知ステップと、
を有することを特徴とする記録装置の制御方法。
【請求項７】
記録液入りカートリッジと保護液入りカートリッジの２種類のカートリッジが着脱可能に装着される記録装置の制御プログラムにおいて、
上記記録装置に装着されている上記カートリッジの種類を判別する種類判別手段と、
上記種類判別手段で上記記録装置に装着されている上記カートリッジが全て記録液入りカートリッジであると判別された場合は、上記全ての記録液入りカートリッジの記録液を対象とした全色画像処理を行い、上記種類判別手段で上記記録装置に上記２種類のカートリッジが共に装着されていると判別された場合は、上記２種類のカートリッジのうち、記録液入りのカートリッジの記録液を対象とした特定色画像処理を行う画像処理手段と、
を有し、
上記種類判別手段で上記２種類のカートリッジが共に装着されていると判別された場合は、上記特定色画像処理が行われる旨を通知する通知手段と、
を機能させることを特徴とする記録装置の制御プログラム。
【発明の詳細な説明】
【技術分野】
【０００１】
本発明は、記録装置、制御装置、記録装置の制御方法および記録装置の制御プログラムに関する。
【背景技術】
【０００２】
複数のインクカートリッジを備えるインクジェットプリンタにおいて、特定の色のインクしか記録に用いない場合に、この特定のインクに対応する記録ヘッド以外の記録ヘッドについてもフラッシングを行うこととすると、インクの無駄な消費になる。かかる観点から、記録に用いない記録ヘッドに接続するインクカートリッジを色素が含まれないクリアインク入りのインクカートリッジに置き換えることで、インクの無駄な消費を防ぐ構成が、例えば特許文献１に開示されている。
【０００３】
【特許文献１】特開２００６−２８９７５６号公報
【発明の開示】
【発明が解決しようとする課題】
【０００４】
しかしながら、特許文献１に開示される構成のプリンタにおいては、装着されているインクカートリッジが、インク入りインクカートリッジなのかクリアインク入りカートリッジなのかは、インクカートリッジの装着状態を見ただけでは容易に判断することができない。特に、インクカートリッジは、一般に、インクジェットプリンタの筐体内に収容されるため、ユーザーが、装着されているインクカートリッジの種類を判別することは難しい。そのため、インクカーリッジインクの一部が、クリアインク入りのインクカートリッジに取り替えられていることを知らずに、記録動作を実行してしまい、ユーザーの意図しない記録結果となってしまう問題がある。
【０００５】
そこで、本発明は、ユーザーの意図しない記録結果となることを防ぐ記録装置、制御装置、記録装置の制御方法および記録装置の制御プログラムを提供することを目的とする。
【課題を解決するための手段】
【０００６】
上述の課題を解決するため、記録液入りカートリッジと保護液入りカートリッジの２種類のカートリッジが着脱可能に装着される記録装置であって、２種類のカートリッジが共に装着されているときに、２種類のカートリッジのうち、記録液入りカートリッジの記録液を対象とした特定色画像処理を行う場合には、通知手段により特定色画像処理が行われる旨の通知を行うこととする。
【０００７】
インクジェットプリンタをこのように構成することで、ユーザーの意図しない記録結果となることを防ぐことができる。
【０００８】
上述の課題を解決するため、記録液入りカートリッジと保護液入りカートリッジの２種類のカートリッジが着脱可能に装着される記録装置であって、記録装置に装着されているカートリッジの種類を判別する種類判別手段と、種類判別手段が、全て記録液入りカートリッジであると判別した場合は、全ての記録液入りカートリッジの記録液を対象とした全色画像処理を行い、種類判別手段が、２種類のカートリッジが共に装着されていると判別した場合は、２種類のカートリッジのうち、記録液入りのカートリッジの記録液を対象とした特定色画像処理を行う画像処理手段とを有し、種類判別手段が、２種類のカートリッジが共に装着されていると判別した場合は、通知手段により特定色画像処理が行われる旨の通知を行うこととする。
【０００９】
インクジェットプリンタをこのように構成することで、ユーザーの意図しない記録結果となることを防ぐことができる。
【００１０】
また、他の発明は、上述の発明に加え、種類判別手段により、記録装置に装着されているカートリッジが、全て保護液入りカートリッジであると判別された場合は、記録が出来ない旨を通知手段により通知することとする。
【００１１】
インクジェットプリンタをこのように構成することで、ユーザーによる誤操作を防止することができる。
【００１２】
また、他の発明は、上述の発明に加え、記録液入りカートリッジと保護液入りカートリッジの２種類のカートリッジが着脱可能に装着される記録装置において、カートリッジの種類と、このカートリッジに接続される記録ヘッドの過去の動作内容とを比較し、この比較結果に応じて所定のフラッシングを行うこととする。
【００１３】
インクジェットプリンタをこのように構成することで、記録ヘッドのノズル内を記録ヘッドに接続されるインクカートリッジの有色インクまたは保護液で満たすことができ、記録ヘッドの保護および所望の記録を行うことができる。
【００１４】
上述の課題を解決するため、記録液入りカートリッジと保護液入りカートリッジの２種類のカートリッジが着脱可能に装着される記録装置を用いて印刷を行う制御装置であって、記録装置に装着されているカートリッジの種類に関する判別を行う種類判別手段と、記録装置に装着されているカートリッジが、全て記録液入りカートリッジであると判別された場合は、全ての記録液入りカートリッジの記録液を対象とした全色画像処理を行い、種類判別手段が、２種類のカートリッジが共に装着されていると判別した場合は、２種類のカートリッジのうち、記録液入りのカートリッジの記録液を対象とした特定色画像処理を行う画像処理手段とを有し、種類判別手段により、２種類のカートリッジが共に装着されていると判別された場合は、通知手段により特定色画像処理が行われる旨の通知を行うこととする。
【００１５】
インクジェットプリンタをこのように構成することで、ユーザーの意図しない記録結果となることを防ぐことができる。
【００１６】
上述の課題を解決するため、記録液入りカートリッジと保護液入りカートリッジの２種類のカートリッジが着脱可能に装着される記録装置の制御方法において、記録装置に装着されているカートリッジの種類を判別する種類判別ステップと、種類判別ステップで記録装置に装着されているカートリッジが全て記録液入りカートリッジであると判別された場合は、全ての記録液入りカートリッジの記録液を対象とした全色画像処理を行い、種類判別ステップで記録装置に２種類のカートリッジが共に装着されていると判別された場合は、２種類のカートリッジのうち、記録液入りのカートリッジの記録液を対象とした特定色画像処理を行う画像処理ステップとを有し、種類判別ステップで２種類のカートリッジが共に装着されていると判別された場合は、特定色画像処理が行われる旨を通知する通知ステップとを有することとする。
【００１７】
インクジェットプリンタをこのように構成することで、ユーザーの意図しない記録結果となることを防ぐことができる。
【００１８】
上述の課題を解決するため、記録液入りカートリッジと保護液入りカートリッジの２種類のカートリッジが着脱可能に装着される記録装置の制御プログラムにおいて、記録装置に装着されているカートリッジの種類を判別する種類判別手段と、種類判別手段で記録装置に装着されているカートリッジが全て記録液入りカートリッジであると判別された場合は、全ての記録液入りカートリッジの記録液を対象とした全色画像処理を行い、種類判別手段で記録装置に２種類のカートリッジが共に装着されていると判別された場合は、２種類のカートリッジのうち、記録液入りのカートリッジの記録液を対象とした特定色画像処理を行う画像処理手段とを有し、種類判別手段で２種類のカートリッジが共に装着されていると判別された場合は、特定色画像処理が行われる旨を通知する通知手段とを機能させることとする。
【００１９】
インクジェットプリンタをこのように構成することで、ユーザーの意図しない記録結果となることを防ぐことができる。
【発明を実施するための最良の形態】
【００２０】
（実施の形態）
以下、本発明の実施の形態について、図面を参照しながら説明をする。
以下、本発明の実施の形態について、図面を参照しながら説明をする。本実施の形態では、本発明を記録装置としてインクジェットプリンタ１に適用した場合を例としている。なお、記録装置の制御方法については、インクジェットプリンタ１の構成に併せて説明する。
【００２１】
（インクジェットプリンタの全体構成）
図１は、本発明の実施の形態に係るインクジェットプリンタ（以下、単にプリンタと言う。）１の全体的な概略の構成を示す斜視図である。図２は、図１に示すプリンタの電気的な構成の概略を示す回路ブロック図である。
【００２２】
図１において、プリンタ１は、記録用紙Ｐを載置する給紙トレイ２と、このトレイ２に載置されている記録用紙Ｐを前方（矢印Ａの方向）に搬送する搬送機構３と、この搬送機構３により搬送される記録用紙Ｐに対し記録を行なう記録実行機構４と、この記録実行機構４を左右方向（矢印Ｒ，Ｌの方向）に移動する往復移動機構５と、記録実行機構４により記録が行われ排出された記録用紙Ｐを受ける排紙トレイ６と、プリンタ１に関する諸情報が表示される通知手段としてのメッセージボード７と、ユーザーが、プリンタ１に対して、所設定や動作指示を行うための操作パネル８等を有する。
【００２３】
搬送機構３は、搬送モータ９とこの搬送モータ９の回転力を受けて回転する搬送ローラ１０等を有している。搬送ローラ１０の下側には、従動ローラ１１が配設され、記録用紙Ｐは、搬送ローラ１０と従動ローラ１１とに挟み込まれた状態で、搬送ローラ１０の回転により給紙トレイ２側から記録実行機構４に送られる。
【００２４】
記録実行機構４は、キャリッジ１２と、複数のカートリッジ１３と、各カートリッジ１３毎に対応して設けられる記録ヘッド１４（図２参照。図１においては図示外）等を有している。記録ヘッド１４については、キャリッジ１２に対して固定的に取り付けられているが、カートリッジ１３については、それぞれ個別に、キャリッジ１２に対して着脱自在に取り付けられている。カートリッジ１３と記録ヘッド１４とは図示外の流路により接続され、この流路を介してカートリッジ１３内のインクが記録ヘッド１４に供給される。
【００２５】
各カートリッジ１３には、それぞれ、そのインク色やインク容量等の情報を記憶しているＩＣチップ１５（図２参照）が取り付けられている。一方、記録実行機構４には、各カートリッジ１３毎に対応して、対応するカートリッジ１３についての情報を取得する情報取得部１６（図２参照。図１においては図示外）が設けられている。情報取得部１６は、このＩＣチップ１５の接点に接触する接点として構成され、カートリッジ１３を記録実行機構４に装着すると、ＩＣチップ１５の端子に情報取得部１６が接触し、ＩＣチップ１５に記憶されているカートリッジ１３についての情報を取得できるように構成されている。この情報取得部１６で取得されたカートリッジ１３についての情報は、後述するＣＰＵ（Ｃｅｎｔｒａｌ  Ｐｒｏｃｅｓｓｉｎｇ  Ｕｎｉｔ）１７（図２参照）に送られる。
【００２６】
なお、カートリッジ１３の情報については、上述のようにＩＣチップ１５に記憶させる他、カートリッジ１３の一部をカートリッジ１３の情報に対応した形状としてもよい。この場合には、情報取得部１６は、例えば、該形状に応じて押下、非押下とされる一本あるいは複数本のピンによってオン・オフされるピンスイッチとして構成し、各ピンの押下の有無によって、カートリッジ１３の情報が取得されることになる。
【００２７】
往復移動機構５は、ガイド軸１８と、このガイド軸１８と平行に配設され、キャリッジモータ１９（図２参照。図１においては図示外）により駆動されるタイミングベルト２０等を有している。記録実行機構４のキャリッジ１２は、ガイド軸１８に対して左右方向に摺動自在に支持されると共に、タイミングベルト２０に対して固定状態で取り付けられている。したがって、タイミングベルト２０が左右方向に駆動されることで、記録実行機構４は、ガイド軸１８に添って、左右方向に移動させられる。
【００２８】
搬送機構３と往復移動機構５とは、互いに交互に駆動させられるように構成されている。すなわち、往復移動機構５により記録実行機構４が移動している間は、搬送機構３は記録用紙Ｐの搬送を停止し、記録実行機構４が移動方向を折り返すタイミングで記録用紙Ｐの搬送を行なうように構成されている。つまり、搬送機構３は、記録用紙Ｐを移動と停止を繰り返しながら間欠的に搬送し、往復移動機構５は、記録用紙Ｐの移動が停止している間に、記録実行機構４を左側から右側に、あるいは右側から左側に移動する。そして、記録実行機構４は、左右方向に移動する際に、パソコン等により構成されるホストコンピュータ２１（図２参照）から送られる画像形成データに基づいて記録ヘッド１４から記録用紙Ｐに対してインクを吐出し、記録用紙Ｐに対して印字や画像等の記録を行う。つまり、記録用紙Ｐには、記録用紙Ｐの間欠的な搬送に合わせて前方から後方に向かって一帯毎に順次記録が行われていく。そうして、記録実行機構４で画像形成データに基づく所定の記録が行われた記録済みの記録用紙Ｐは、排紙トレイ６上に排出される。
【００２９】
記録実行機構４は、例えば、記録液として、ブラック、シアン、マゼンダ、イエロのインク液がそれぞれ入っている４つのカートリッジ１３がそれぞれ着脱可能に装着される構成となっている。なお、上記４つのカートリッジに加えてライトシアンやライトマゼンダ等のインク液が収容されているカートリッジが装着できる構成であってもよい。
【００３０】
メッセージボード７は、例えば液表表示装置等から構成され、プリンタ１の動作状態や、ユーザーに各種動作を選択させる際のメニュー等が表示される。操作パネル８には、図示を省略する電源スイッチや記録用紙Ｐのサイズ設定を行なう図示を省略する用紙選択スイッチ等が備えられている。
【００３１】
（回路ブロックの構成）
次に、図２を参照しながら図１に示すプリンタ１の電気的な構成の概略を説明する。
【００３２】
図２において、プリンタ１は、ホストコンピュータ２１から入力された画像形成データ等を受け取るインターフェイス部２２と、制御部２３と、往復移動機構５のキャリッジモータ１９と、このキャリッジモータ１９を駆動制御するキャリッジモータドライバ２４と、搬送モータ９と、この搬送モータ９を駆動制御する搬送モータドライバ２５と、記録ヘッド１４と、記録ヘッド１４を駆動制御する記録ヘッド駆動手段としての記録ヘッドドライバ２６と、カートリッジ１３に備えられるＩＣチップ１５と、このＩＣチップ１５の端子に接続することでカートリッジ１３についての情報を取得する情報取得部１６と、メッセージボード７、更に、操作パネル８等を有する。
【００３３】
制御部２３は、画像形成データ等に基づいて印字ヘッドの吐出制御や往復移動機構５の駆動制御および搬送機構３の駆動制御の他、プリンタ１の様々な動作制御を司るＣＰＵ１７と、プリンタ１の各種動作および手段を機能させる制御プログラムが記憶されているＰＲＯＭ（Ｐｒｏｇｒａｍｍａｂｌｅ  Ｒｅａｄ−Ｏｎｌｙ  Ｍｅｍｏｒｙ）２７と、作業用のメモリであるＲＡＭ（Ｒａｎｄｏｍ  Ａｃｃｅｓｓ  Ｍｅｍｏｒｙ）２８と、ホストコンピュータ２１からインターフェイス部２２を介して入力される画像形成データを格納するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２９等を備える。
【００３４】
制御部２３は、情報取得部１６と共に、着脱検出手段、種類判別手段、組合せ判別手段、種類変化判断手段、フラッシング指令手段、および画像処理手段等を構成している。これらの着脱検出手段、種類判別手段、組合せ判別手段、種類変化判断手段、フラッシング指令手段、画像処理手段等については、後に詳しく説明する。なお、制御部２３あるいはＣＰＵ１７については、ホストコンピュータ２１を利用するように構成してもよい。
【００３５】
本実施の形態に示すプリンタ１は、カートリッジ１３として、ブラックやシアン等の有色の記録液としてのインク液が入っているカートリッジ（以下、有色インクカートリッジ１３Ａと言う）の他、保護液が入っているカートリッジ（以下、保護液カートリッジ１３Ｂと言う。）が装着可能となっている。保護液としては、溶質を含まないか、あるいは含んでいても溶媒が蒸発した場合であっても溶質が析出しない性質を有する液体を用いる。具体的には、例えば、純水の他、有色インクから色素を除いた状態の液体、すなわち安定剤、界面活性剤および純水の混合液等を保護液として用いることができる。
【００３６】
ところで、プリンタ１にカートリッジ１３として保護液カートリッジ１３Ｂが装着された場合には、この保護液カートリッジ１３Ｂに接続する記録ヘッド１４については、今後しばらくの間は使用されない状態が続くことが予想される。そのため、このような場合に、本実施の形態に係るプリンタ１は、保護液カートリッジ１３Ｂに接続する記録ヘッド１４に対しフラッシングを行い、この記録ヘッド１４のノズル内およびこの記録ヘッド１４と保護液カートリッジ１３Ｂとを接続する流路内に有る有色インクを洗浄するように構成されている。このように、使用されない状態が長く続くことが予想される記録ヘッド１４のノズル内等を保護液で洗浄することにより、ノズル内等や記録ヘッド１４内部のインク吐出機構等を保護液で保護することができる。不使用状態が長期間継続する場合には、保護液が蒸発してしまう場合もあるが、このような場合であっても染料（顔料）等の溶質が凝固したり析出することがないため、ノズルが詰まったりインク吐出機構等の機能に障害を与えることを防止することができる。
【００３７】
一方、既に装着されている保護液カートリッジ１３Ｂを保護液カートリッジ１３Ｂに交換した場合には、改めてフラッシングを行う必要がない。逆に、保護液カートリッジ１３Ｂを有色インクカートリッジ１３Ａに交換した場合には、記録動作を行った際に直ちに有色インクが吐出されるように、交換された有色インクカートリッジ１３Ａに対応する記録ヘッド１４に対し、予め、有色インクによるフラッシングを行っておくことが好ましい。
【００３８】
このように、有色インクカートリッジ１３Ａと保護液カートリッジ１３Ｂの着脱に際しては、着脱されるカートリッジ１３の種類（有色インクカートリッジ１３Ａ、または保護液カートリッジ１３Ｂ）に応じて、プリンタ１の動作を適正に行う必要がある。そこで、本実施の形態に係るプリンタ１においては、記録実行機構４に装着されているカートリッジ１３の種類や、カートリッジ１３が着脱された前後における種類の変化に応じて、適切な動作が行われるように構成されている。
【００３９】
また、記録実行機構４に有色インクカートリッジ１３Ａと保護液カートリッジ１３Ｂの両方が装着されている場合には、例えば、装着されている有色インクカートリッジ１３Ａのインクのみを用いて記録を行うようにすることが好ましく、また、かかる記録を行う場合には、予め、ユーザーにそれを認識させる必要がある。つまり、記録実行機構４に有色インクカートリッジ１３Ａと保護液カートリッジ１３Ｂの両方が装着されている場合には、これに適した動作をプリンタ１が行う必要がある。そこで、本実施の形態に係るプリンタ１は、記録実行機構４に有色インクカートリッジ１３Ａと保護液カートリッジ１３Ｂの両方が装着されている場合には、このような装着状態に適した動作が行われるように構成されている。
【００４０】
以下、図３および図４に示すフローチャートを参照しながら、プリンタ１の動作について説明する。
【００４１】
（プリンタの動作説明）
操作パネル８に備えられる電源スイッチ（図示省略）がオンされると、図３に示すフローチャートに示す動作が開始（スタート）され、先ず、給紙トレイ２内の記録用紙Ｐの有無や、キャリッジ１２が基準位置に配置されているかどうか等について、プリンタ１の動作チェックが実行される（ステップＳ１０）。
【００４２】
続いて、記録実行機構４に装着されているカートリッジ１３の取り外しが行われるかどうかの判断（検出）（ステップＳ２０）が行われる。この判断（ステップＳ２０）は、情報取得部１６とＩＣチップ１５の端子とが接触しているかどうかをＣＰＵ１７により検出することにより行う。ＣＰＵ１７において、情報取得部１６とＩＣチップ１５の端子との接触がなくなったことが検出されたときには、ＣＰＵ１７は、カートリッジ１３が記録実行機構４から取り外された判断する。
【００４３】
ステップＳ２０の判断において、カートリッジ１３の取り外しが検出されない場合（ステップＳ２０においてＮｏ）には、記録実行機構４に装着されているカートリッジ１３の種類を判別する（ステップＳ３０）。この判別は、ＩＣチップ１５に接続する情報取得部１６を介してＣＰＵ１７に取り込まれるカートリッジ１３の種類に関する情報に基づいてＣＰＵ１７において行われる。上述したように、ＩＣチップ１５および情報取得部１６は、記録実行機構４に装着されているカートリッジ１３毎に備えられている。そのため、ＣＰＵ１７は、装着されているカートリッジ１３毎にその種類を判別することができる。
【００４４】
続いて、ステップＳ３０において判別したカートリッジ１３の種類に基づいて装着されているカートリッジ１３の種類の組み合わせを判別する（ステップＳ４０、ステップＳ５０）。ステップＳ４０においては、記録実行機構４に装着されているカートリッジ１３の種類の組み合わせが、全て有色インクカートリッジ１３Ａであるか、そうでないかを判断する（ステップＳ４０）。全て有色インクでない場合とは、記録実行機構４に少なくとも１つの保護液カートリッジ１３Ｂが装着されている場合であり、全て保護液カートリッジ１３Ｂの場合と、有色インクカートリッジ１３Ａおよび保護液カートリッジ１３Ｂの両方が装着されている場合とが含まれる。また、ステップＳ５０においては、記録実行機構４に装着されているカートリッジ１３の種類の組み合わせが、全て保護液カートリッジ１３Ｂであるか、そうでないかを判断する（ステップＳ５０）。
【００４５】
したがって、記録実行機構４に装着されているカートリッジ１３が全て有色インクカートリッジ１３Ａである場合には、ステップＳ４０においてＹｅｓの判断がなされる。一方、記録実行機構４に装着されているカートリッジ１３に少なくとも１つの保護液カートリッジ１３Ｂが含まれる場合には、ステップＳ４０においてＮｏの判断がなされる。そして、記録実行機構４に装着されているカートリッジ１３が全て保護液カートリッジ１３Ｂで有る場合には、ステップＳ５０においてＹｅｓの判断がなされ、有色インクカートリッジ１３Ａと保護液カートリッジ１３Ｂの両方が装着されている場合には、ステップＳ５０においてＮｏの判断がなされる。このように、ステップＳ４０、ステップＳ５０により、記録実行機構４に装着されているカートリッジ１３の種類の組み合わせが、全て有色インクカートリッジ１３Ａか、全て保護液カートリッジ１３Ｂか、有色インクカートリッジ１３Ａと保護液カートリッジ１３Ｂの両方かを判別することができる。
【００４６】
ステップＳ４０の判断において、記録実行機構４に装着されているカートリッジ１３が全て有色インクカートリッジ１３Ａと判断された場合（ステップＳ４０においてＹｅｓ）には、ホストコンピュータ２１からの記録動作の指示の有無の判断（ステップＳ６０）が行われる。ホストコンピュータ２１から記録動作の指示があった場合（ステップＳ６０においてＹｅｓ）、例えば、ユーザーがホストコンピュータ２１の記録動作開始スイッチ（不図示）をオン操作した場合には、ホストコンピュータ２１から送信される画像形成データに基づき、制御部２３が、搬送機構３、往復移動機構５、および記録実行機構４の動作を制御することで、記録用紙Ｐに対して記録動作が行われる（ステップＳ７０）。記録動作（ステップＳ７０）が終了した後は、ステップＳ２０に戻り、上述したステップＳ３０、ステップＳ４０等の処理が繰り返えされる。
【００４７】
記録動作の指示がなく（ステップＳ６０においてＮｏ）、また、カートリッジ１３の取り外しがない場合（ステップＳ２０においてＮｏ）には、装着されているカートリッジ１３は全て有色インクカートリッジ１３Ａであるため、上述したステップＳ２０、ステップＳ３０、ステップＳ４０、ステップＳ６０、そしてステップＳ２０の処理が繰り返えされる。
【００４８】
ステップＳ４０、ステップＳ５０において、記録実行機構４に装着されているカートリッジ１３の全てが保護液カートリッジ１３Ｂであると判断された場合（ステップＳ４０においてＮｏ、かつステップＳ５０においてＹｅｓ）には、プリンタ１は待機設定（ステップＳ１９０）の状態とされる。
【００４９】
保護液カートリッジ１３Ｂの保護液は、染料（顔料）を含んでいないため、記録ヘッド１４から吐出されても記録用紙Ｐに対し記録することができない。そのため、プリンタ１の待機設定（ステップＳ１９０）では、例えば、ユーザーがホストコンピュータ２１の記録動作開始スイッチをオン操作した場合であっても、プリンタ１が記録動作を行わないようにプリンタ１を設定する。
【００５０】
このように、装着されているカートリッジ１３が全て保護液カートリッジ１３Ｂである場合にはプリンタ１は記録動作しない。そのため、待機設定（ステップＳ１９０）においては、カートリッジ１３が全て保護液カートリッジ１３Ｂであるため記録動作を行うことができない旨のメッセージである記録不可メッセージを、メッセージボード７に表示することで、該メッセージをユーザーに通知する。このメッセージにより、ユーザーは、プリンタ１に装着されているカートリッジ１３が全て保護液カートリッジ１３Ｂであり、プリンタ１が記録動作を行うことができない状態にあることを知ることができる。
【００５１】
記録ヘッド１４は、記録動作を実際に行っていない場合でも、画像形成データに基づく吐出制御信号が入力された際に、該制御信号に対応した吐出を直ちに行うことができるように微弱な電流が流され、スタンバイ状態に維持されている。しかしながら、保護液カートリッジ１３Ｂが装着されている場合には、記録動作を行うことがないため、スタンバイ状態を維持する必要はない。そこで、待機設定（ステップＳ１９０）においては、記録ヘッド１４への給電を停止することとしている。これにより、プリンタ１の消費電力の低減が図られる。
【００５２】
ステップＳ４０、ステップＳ５０において、記録実行機構４に有色インクカートリッジ１３Ａと保護液カートリッジ１３Ｂの両方が装着されていると判断された場合（ステップＳ４０においてＮｏ、かつステップＳ５０においてＮｏ）には、図４に示す特定色記録モード（ステップＳ３００）に移行してよいかどうかを尋ねるメッセージをメッセージボード７に表示することで（ステップＳ８０）、該メッセージをユーザーに通知する。そして、特定色記録モード（ステップＳ３００）に移行するかどうかの指示がユーザーからあるかどうかが判断される（ステップＳ９０）。
【００５３】
特定色記録モード（ステップＳ３００）は、記録実行機構４に有色インクカートリッジ１３Ａと保護液カートリッジ１３Ｂの両方が装着されている際に、装着されている有色インクカートリッジ１３Ａのインク色だけで、所望の画像が形成されるように記録ヘッド１４等が動作制御（ステップＳ３５５）されるモードである。すなわち、保護液カートリッジ１３Ｂが接続する記録ヘッド１４については保護液を吐出しないようにしながら、有色インクカートリッジ１３Ａが接続する記録ヘッド１４については、装着されている有色インクカートリッジ１３Ａのインク色で、所望の画像が形成されるように記録ヘッド１４等が動作制御（ステップＳ３５５）されるモードである。例えば、ブラックの有色インクカートリッジ１３Ａを１本だけ残し、残りが全て保護液カートリッジ１３Ｂである場合には、画像形成データがフルカラーの画像データである場合であっても、ＣＰＵ１７に備えられる画像処理手段において、各色について階調処理された階調データに基づく白黒画像を形成する特定色画像処理が行われる。したがって、この場合には、記録用紙Ｐに対してはいわゆるモノクロの画像が記録される。特定色画像処理は、２色あるいは３色の有色インクカートリッジ１３Ａが装着されている場合には、これらの複数の色を対象として、記録される画像を形成する画像処理としてもよい。なお、画像処理手段は、ステップＳ７０の記録動作、すなわち、装着されているカートリッジ１３が全て有色インクカートリッジ１３Ａであると判断された場合（ステップＳ４０においてＹｅｓ）の記録動作（ステップＳ７０）においては、装着されている有色インクカートリッジ１３Ａのインク色を全て対象とする全色画像処理を行い、特定色記録モード（ステップＳ３００）においては、上述したように特定色画像処理を行うように構成されている。
【００５４】
ステップＳ９０において、特定色記録モード（ステップＳ３００）に移行する旨の指示がある場合（ステップＳ９０においてＹｅｓ）には、特定色記録モード（ステップＳ３００）に移行する。特定色記録モード（ステップＳ３００）に移行する指示がなく（ステップＳ９０においてＮｏ）、また、カートリッジ１３の取り外しがない場合（ステップＳ２０においてＮｏ）には、記録実行機構４には有色インクカートリッジ１３Ａと保護液カートリッジ１３Ｂの両方が装着されているため、上述したステップＳ２０、ステップＳ３０、ステップＳ４０、ステップＳ５０、ステップＳ８０、ステップＳ９０、そしてステップＳ２０の処理が繰り返えされる。
【００５５】
ステップＳ２０において、記録実行機構４に装着されているカートリッジ１３が取り外されたと判断された場合（ステップＳ２０においてＹｅｓ）には、取り外れたと判断されたカートリッジ１３の装着箇所に、新たにカートリッジ１３（有色インクカートリッジ１３Ａまたは保護液カートリッジ１３Ｂ）が装着されるかどうかを判断（検出）する（ステップＳ１００）。カートリッジ１３が取り外れ、ＩＣチップ１５の端子との接触がない情報取得部１６に、ＩＣチップ１５の端子の接触が検出された場合には、カートリッジ１３が取り外されているカートリッジ１３の装着箇所に、新たなカートリッジ１３（有色インクカートリッジ１３Ａまたは保護液カートリッジ１３Ｂ）が装着されたと判断する（ステップＳ１００においてＹｅｓ）。このように、ステップＳ２０およびステップＳ１００の処理によりカートリッジ１３が着脱されたかどうかが検出される。
【００５６】
一旦取り外されたカートリッジ１３の装着箇所に、新たにカートリッジ１３の装着が検出されると（ステップＳ１００においてＹｅｓ）、上述したステップＳ３０と同様に、記録実行機構４に装着されているカートリッジ１３の種類が判別される（ステップＳ１１０）。続いて、ステップＳ１１０において判別したカートリッジ１３の種類に基づいて、上述したステップＳ４０、ステップＳ５０と同様に、装着されているカートリッジ１３の種類の組み合わせを判別する（ステップＳ１２０、ステップＳ１３０）。
【００５７】
すなわち、ステップＳ１２０においては、記録実行機構４に装着されているカートリッジ１３の種類の組み合わせが、全て有色インクカートリッジ１３Ａであるか、そうでないかを判断する（ステップＳ１２０）。全て有色インクカートリッジ１３Ａでない場合とは、記録実行機構４に少なくとも１つの保護液カートリッジ１３Ｂが装着されている場合であり、全て保護液カートリッジ１３Ｂの場合と、有色インクカートリッジ１３Ａおよび保護液カートリッジ１３Ｂの両方が装着されている場合とが含まれる。また、ステップＳ１３０においては、記録実行機構４に装着されているカートリッジ１３が、全て保護液カートリッジ１３Ｂであるか、そうでないかを判断する（ステップＳ１３０）。
【００５８】
したがって、記録実行機構４に装着されているカートリッジ１３が全て有色インクカートリッジ１３Ａである場合には、ステップＳ１２０においてＹｅｓの判断がなされる。一方、記録実行機構４に装着されているカートリッジ１３に少なくとも１つの保護液カートリッジ１３Ｂが含まれる場合には、ステップＳ１２０においてＮｏの判断がなされる。そして、記録実行機構４に装着されているカートリッジ１３が全て保護液カートリッジ１３Ｂで有る場合には、ステップＳ１３０においてＹｅｓの判断がなされ、有色インクカートリッジ１３Ａと保護液カートリッジ１３Ｂの両方が装着されている場合には、ステップＳ１３０においてＮｏの判断がなされる。このように、ステップＳ１２０、ステップＳ１３０により、記録実行機構４に装着されているカートリッジ１３の種類の組み合わせが、全て有色インクカートリッジ１３Ａか、全て保護液カートリッジ１３Ｂか、有色インクカートリッジ１３Ａと保護液カートリッジ１３Ｂの両方かを判別することができる。
【００５９】
ステップＳ１２０において、記録実行機構４に装着されているカートリッジ１３の種類が、全て有色インクカートリッジ１３Ａであると判断される場合（ステップＳ１２０においてＹｅｓ）には、着脱の前後でカートリッジ１３の種類に変化があったかどうかが判断される（ステップＳ１４０）。
【００６０】
着脱の前後におけるカートリッジ１３の種類の変化の有無の判断は、装着されているカートリッジ１３の種類と、以下に説明するフラグ（フラッシングフラグ）とに基づいて判断する。プリンタ１は、保護液カートリッジ１３Ｂが接続される記録ヘッド１４について、後述するステップＳ１７０等において保護液のフラッシング（以下、保護液フラッシングと言う。）を行った場合には、この記録ヘッド１４についての動作内容として、保護液フラッシングを行った旨の情報がフラグ（以下、このフラグをフラッシングフラグと言う。）の形でＥＥＰＲＯＭ２９に保持（記憶）される。このフラッシングフラグは、保護液フラッシングが行われた記録ヘッド１４に対して有色インクカートリッジ１３Ａが接続され、有色インクのフラッシングが行われるか、あるいは、この有色インクカートリッジ１３Ａが接続されている状態で吐出動作が行われるまで保持される。また、このフラッシングフラグは、プリンタ１の電源スイッチ（図示省略）がオフされた場合にも、消去されることなくＥＥＰＲＯＭ２９に保持される。したがって、記録ヘッド１４についてフラッシングフラグが保持されていない場合、すなわち、記録ヘッド１４に対する情報としてフラッシングフラグがＥＥＰＲＯＭ２９に保持されていない場合には、カートリッジ１３が着脱される前における記録ヘッド１４の最後の動作内容は、有色インクのフラッシングまたは有色インクの吐出動作ということになる。
【００６１】
ステップＳ１４０においては、各有色インクカートリッジ１３Ａに対応する記録ヘッド１４について、フラッシングフラグが保持されているかどうかを判断する。記録ヘッド１４に対してフラッシングフラグが保持されていない場合には、着脱の前に最後に行われた記録ヘッド１４の動作内容は、有色インクのフラッシング等の有色インクの吐出動作であったと考えられる。逆に、記録ヘッド１４に対してフラッシングフラグが保持されている場合には、着脱の前に最後に行われた記録ヘッド１４の動作内容は、保護液フラッシングであったと考えられる。したがって、有色インクカートリッジ１３Ａに接続されている記録ヘッド１４に対してフラッシングフラグが保持されている場合には、このフラッシングフラグが保持されている記録ヘッド１４に接続される有色インクカートリッジ１３Ａは、着脱が行われる前には保護液カートリッジ１３Ｂであったものが有色インクカートリッジ１３Ａに取り換えられたと判断できる。
【００６２】
つまり、ステップＳ１４０においては、各有色インクカートリッジ１３Ａについて、各有色インクカートリッジ１３Ａに接続されている記録ヘッド１４に対してフラッシングフラグが保持されているかどうかを判断することで、装着されている有色インクカートリッジ１３Ａが、着脱前と種類が変わっているかどうかを判断する。
【００６３】
そして、このステップＳ１４０において、装着されている有色インクカートリッジ１３Ａに接続されている記録ヘッド１４の中にフラッシングフラグが保持されているものがある場合（ステップＳ１４０においてＹｅｓ）、すなわち、装着されている有色インクカートリッジ１３Ａの中に、着脱前には保護液インクカートッリジ１３Ｂであったものがある場合（ステップＳ１４０においてＹｅｓ）には、フラッシングフラグが保持されている記録ヘッド１４に対して、給電を開始する（ステップＳ１５０）。次いで、制御部２３に構成されるフラッシング指令手段は、記録ヘッドドライバ２６に対して、この記録ヘッドドライバ２６がフラッシングフラグの対象になっている記録ヘッド１４に対して吐出動作を行うように指令を対して出す。つまり、給電が開始された記録ヘッド１４に対し、この記録ヘッド１４に接続されている有色インクカートリッジ１３Ａの有色インクによりフラッシングを行う（ステップＳ１５５）。
【００６４】
フラッシングフラグが保持されている記録ヘッド１４に対しては、ステップＳ１９０において給電が停止させられているものもあり、該記録ヘッド１４については吐出制御信号を受け付けない状態となっている。そのため、ステップＳ１５０で該記録ヘッド１４に対して給電を開始し、フラッシングを行うための吐出制御信号を受信可能な状態とした後、有色インクによりフラッシングを行う（ステップＳ１５５）。なお、ステップＳ１５５では、フラッシングフラグが保持されていない記録ヘッド１４に対しては、フラッシングは行わない。つまり、フラッシングフラグが記録ヘッド１４の一部または全部について保持されていると判断される場合（ステップＳ１４０においてＹｅｓ）に、ステップＳ１５５において、フラッシングフラグの対象となっている記録ヘッド１４に対してだけ、有色インクによるフラッシングが行われる。
【００６５】
このフラッシングが行われた後は、再び、記録実行機構４に装着されるカートリッジ１３が取り外されるかどうかの判断（ステップＳ２０）に戻る。なお、有色インクによるフラッシング（ステップＳ１５５）が行われた記録ヘッド１４についてのフラッシングフラグは、有色インクによるフラッシングが行われることで消滅する。また、有色インクによるフラッシング（ステップＳ１５５）が行われた記録ヘッド１４についての給電状態はそのまま維持される。給電状態が維持されることにより、記録動作（ステップＳ７０）が行われた際に吐出制御信号に直ちに反応し、吐出動作を開始することができる。
【００６６】
ステップＳ１５５において、フラッシングフラグが保持されている記録ヘッド１４について有色インクによるフラッシングを行うのは、次の理由による。例えば、後述するステップＳ１７０において保護液フラッシングが行われた場合に、その後、印字動作（ステップＳ７０）を行うために、この保護液フラッシングを行った保護液カートリッジ１３Ｂの全部を有色インクカートリッジ１３Ａに交換する場合がある。この場合には、記録ヘッド１４のノズル内を含む記録ヘッド１４から有色インクカートリッジ１３Ａまでの記録ヘッド１４と有色インクカートリッジ１３Ａとを接続する流路内に、保護液が残っている。また、プリンタ１の前回稼動時における記録ヘッド１４の最後の吐出動作が保護液フラッシングであった場合に、今回の稼動時において、記録動作（ステップＳ７０）を行うために保護液カートリッジ１３Ｂを全て有色インクカートリッジ１３Ａに交換する場合がある。この場合にも、該流路内には保護液が残っている。このように該流路内に残っている保護液を有色インクに置き換え、記録動作（ステップＳ７０）に備えるために有色インクのフラッシング（ステップＳ１５５）を行う。
【００６７】
つまり、ノズル内や該流路内に保護液が残留している状態で記録動作が実行されてしまうと（ステップＳ７０）、有色インクにより記録されるべきところに保護液が吐出されてしまい、記録用紙Ｐに対して所望の記録を行なうことができない。したがって、上述したように、有色インクカートリッジ１３Ａ内の有色インクによりフラッシングする（ステップＳ１５５）ことで、該流路内に残っている保護液を有色インクに置き換えた状態で記録動作（ステップＳ７０）を行うことができる。
【００６８】
なお、前回稼動時とは、電源スイッチ（図示省略）をオンする前のプリンタ１の稼動時、すなわち、今回電源スイッチがオフ状態からオン状態にされプリンタ１が稼動状態となる前に電源スイッチがオンされていたときの稼動時のことである。
【００６９】
なお、このフラッシング（ステップＳ１５５）は、該流路内に残っている保護液が完全に有色インクに置き換わるのに必要な十分な時間継続される。あるいは、該流路内の保護液を完全に有色インクに置き換えることができるのに必要な吐出量を予め実験等により求めておき、フラッシングにより吐出される有色インクの吐出量を計量しながら、この吐出量が予め決めた吐出量になるまでフラッシングを行うように構成してもよい。なお、有色インクの吐出量は、画像形成データに基づき、記録ヘッド１４から何ドットのインク滴が吐出されたかを知ることができるので、１ドット当りのインク滴量と吐出されたドット数から計量することができる。
【００７０】
一方、全ての記録ヘッド１４についてフラッシングフラグが保持されていないと判断される場合（ステップＳ１４０においてＮｏ）には、着脱の前後で装着されているカートリッジ１３の種類に変化がないと判断できる。つまり、記録実行機構４には着脱の前後共、全て有色インクカートリッジ１３Ａが装着され、着脱の前の記録ヘッド１４の吐出動作は、有色インクのフラッシング等の有色インクを吐出する吐出動作であったと判断できる。
【００７１】
この場合には、記録ヘッド１４から有色インクカートリッジ１３Ａまでの流路内は有色インクで満たされていると考えられる。したがって、有色インクによるフラッシングを行う必要がないため、直ちにステップＳ２０に戻る。
【００７２】
記録実行機構４に装着されているカートリッジ１３が着脱された結果、装着されているカートリッジ１３の全てが有色インクカートリッジ１３Ａとはなっていないと判断される場合（ステップＳ１２０においてＮｏ）には、記録実行機構４に装着されているカートリッジ１３の全てが保護液カートリッジ１３Ｂかどうかが判断される（ステップＳ１３０）。
【００７３】
そして、ステップＳ１２０、ステップＳ１３０において、記録実行機構４に、有色インクカートリッジ１３Ａと保護液カートリッジ１３Ｂが装着されていると判断される場合（ステップＳ１２０においてＮｏ、ステップＳ１３０においてＮｏ）には、ステップＳ２０に戻る。そして、ステップＳ３０、ステップＳ４０、ステップＳ５０、ステップＳ８０の処理の後、特定色記録モード（ステップＳ３００）への移行の指示があれば（ステップＳ９０においてＹｅｓ）、特定色記録モード（ステップＳ３００）に移行し、該指示がない場合（ステップＳ９０においてＮｏ）には、ステップＳ２０に戻る。
【００７４】
ステップＳ１２０、ステップＳ１３０において、記録実行機構４に装着されているカートリッジ１３が全て保護液カートリッジ１３Ｂであると判断される場合（ステップＳ１２０においてＮｏ、かつステップＳ１３０においてＹｅｓ）には、着脱の前後でカートリッジ１３の種類に変化があったかどうかが判断される（ステップＳ１６０）。着脱の前後におけるカートリッジ１３の種類の変化の有無の判断は、上述したステップＳ１４０と同様の手法で判断する。
【００７５】
つまり、各保護液カートリッジ１３Ｂに対応する記録ヘッド１４について、フラッシングフラグが保持されているかどうかを判断する。記録ヘッド１４に対してフラッシングフラグが保持されていない場合には、着脱の前に最後に行われた記録ヘッド１４の動作内容は、有色インクのフラッシングであったと考えられる。このフラッシングフラグが保持されていない記録ヘッド１４に接続される保護液カートリッジ１３Ｂは、着脱が行われる前には、有色インクカートリッジ１３Ａであったものが保護液カートリッジ１３Ｂに取り換えられたと判断できる。逆に、記録ヘッド１４に対してフラッシングフラグが保持されている場合には、着脱の前に最後に行われた記録ヘッド１４の動作内容は、保護液フラッシングであったと考えられる。したがって、保護液カートリッジ１３Ｂに接続されている記録ヘッド１４に対してフラッシングフラグが保持されていない場合には、このフラッシングフラグが保持されていない記録ヘッド１４に接続される保護液カートリッジ１３Ｂは、着脱が行われる前には有色インクカートリッジ１３Ａであったものが保護液カートリッジ１３Ｂに取り換えられたと判断できる。
【００７６】
つまり、ステップＳ１６０においては、各保護液カートリッジ１３Ｂについて、各保護液カートリッジ１３Ｂに接続されている記録ヘッド１４に対してフラッシングフラグが保持されているかどうかを判断することで、装着されている保護液カートリッジ１３Ｂが、着脱前と種類が変わっているかどうかを判断する。
【００７７】
そして、このステップＳ１６０において、装着されている保護液カートリッジ１３Ｂに接続されている記録ヘッド１４の中にフラッシングフラグが保持されていないものがある場合（ステップＳ１６０においてＮｏ）、すなわち、装着されている保護液カートリッジ１３Ｂの中に、着脱前には有色インクカートッリジ１３Ａであったものがある場合（ステップＳ１６０においてＮｏ）には、制御部２３に構成されるフラッシング指令手段は、記録ヘッドドライバ２６に対して、この記録ヘッドドライバ２６がフラッシングフラグの対象になっていない記録ヘッド１４に対して吐出動作を行うように指令を対して出す。これにより、フラッシングフラグが保持されていない記録ヘッド１４は、この記録ヘッド１４に接続されている保護液カートリッジ１３Ｂの保護液によりフラッシングが行われる（ステップＳ１７０）。なお、このステップＳ１７０では、フラッシングフラグを有している記録ヘッドに対しては、フラッシングは行われない。つまり、ステップＳ１７０では、記録ヘッド１４の一部または全部についてフラッシングフラグが保持されていないと判断される場合（ステップＳ１６０においてＮｏ）に、フラッシングフラグが保持されていない記録ヘッド１４に対し、保護液によるフラッシングを行うこととしている。
【００７８】
ステップＳ１７０において、フラッシングフラグが保持されていない記録ヘッド１４について保護液フラッシングを行うのは、次の理由による。記録実行機構４に装着されているカートリッジ１３が、有色インクカートリッジ１３Ａから保護液カートリッジ１３Ｂに交換された場合に、交換された保護液カートリッジ１３Ｂに接続されている記録ヘッド１４は、交換される前に有色インクカートリッジ１３Ａが接続されていたため、記録ヘッド１４のノズル内を含む記録ヘッド１４から保護液カートリッジ１３Ｂまでの記録ヘッド１４と保護液カートリッジ１３Ａとを接続する流路内に、有色インクが残っている。また、プリンタ１の前回稼動時における記録ヘッド１４の最後の吐出動作が有色インクの吐出であった場合にも、該流路内には有色インクが残っている。このように該流路内に残っている有色インクを保護液に置き換えるために保護液フラッシング（ステップＳ１７０）を行う。
【００７９】
つまり、装着されているカートリッジ１３が全て保護液カートリッジ１３Ｂである場合には、この後、長期間に亘ってプリンタ１の使用か行われないことが予想される。そこで、上述したように、保護液フラッシング（ステップＳ１７０）を行い、該流路内に残っている有色インクを保護液に交換することにより、長期間に亘ってプリンタ１の使用か行われない場合であっても、該流路内において有色インクが凝固することを防ぎ記録ヘッド１４の吐出不良の発生を防止することができる。
【００８０】
そして、保護液フラッシングを行った記録ヘッド１４に対してフラッシングフラグを保持（ステップＳ１８０）した後、プリンタ１を待機設定（ステップＳ１９０）とし、ステップＳ２０に戻る。
【００８１】
ステップＳ１６０において、記録ヘッド１４毎にフラッシングフラグの有無を判断し、全ての記録ヘッド１４についてフラッシングフラグが保持されている場合（ステップＳ１６０においてＹｅｓ）には、ステップＳ２０に戻る。つまり、カートリッジ１３の着脱が行われる前に、ステップＳ１７０において保護液フラッシングが行われた後、この保護液フラッシングを行った保護液カートリッジ１３Ｂの全部または一部を再び保護液カートリッジ１３Ｂに交換した場合には、記録ヘッド１４から保護液カートリッジ１３Ｂまでの流路内には保護液が残っている。また、プリンタ１の前回稼動時における記録ヘッド１４の最後の吐出動作が保護液フラッシングであった場合にも、該流路内には保護液が残っている。したがって、改めて保護液フラッシングを行う必要がないので、ステップＳ２０に戻り、ステップＳ３０、ステップＳ４０、ステップＳ５０の処理を経た後、プリンタ１は待機設定（ステップＳ１９０）とされる。
【００８２】
なお、上述したようにステップＳ１４０、ステップＳ１６０において、カートリッジ１３が着脱される前後で種類に変化があったかどうかを判断することで、カートリッジ１３の種類が変化しているものについては、所定のフラッシングを行い、変化していないものについてはフラッシングを行わない処理が実現されている。これにより、フラッシングが不要な記録ヘッド１４に対してフラッシングが行われることを防ぐことができるので、有色インクや保護液の消費を抑えることができる。
【００８３】
しかしながら、かかる判断（ステップＳ１４０）を行うことなく、カートリッジ１３が着脱された結果、装着されているカートリッジ１３が全て有色インクカートリッジ１３Ａで有る場合（ステップＳ１２０においてＹｅｓ）には、全ての有色インクカートリッジ１３Ａについて、これらに接続される記録ヘッド１４に対して有色インクのフラッシングを行うようにしてもよい。例えば、有色インクカートリッジ１３Ａが接続された状態で、長期間吐出動作が行われなかったために、ノズル等の流路内の有色インクが凝固してしまっている場合もある。このような場合に、全ての記録ヘッド１４について有色インクをフラッシングすることで、凝固した有色インクを除去することができる。
【００８４】
また、ステップＳ１６０の判断を行うことなく、カートリッジ１３が着脱された結果、装着されているカートリッジ１３が全て保護液カートリッジ１３Ｂで有る場合（ステップＳ１３０においてＹｅｓ）にも、全ての保護液カートリッジ１３Ｂについて、これらに接続される記録ヘッド１４に対して保護液フラッシングを行うようにしてもよい。例えば、保護液カートリッジ１３Ｂが接続された状態で、長期間吐保護液フラッシングが行われなかったために、ノズル等の流路内の保護液が蒸発してしまっている場合もある。このような場合に、全ての記録ヘッド１４について保護液フラッシングすることで、再び、ノズルおよび流路内を保護液で満たすことができ、記録ヘッド１４の機構の保護状態を良好なものとすることができる。
【００８５】
カートリッジ１３が着脱される前後で種類に変化があったかどうかの判断（ステップＳ１４０、ステップＳ１６０）は次のように行っても良い。つまり、記録ヘッド１４あるいはカートリッジ１３の装着場所に対応させて、装着されているカートリッジ１３の種類をＥＥＰＲＯＭ２９に記憶しておく。そして、カートリッジ１３の着脱があった場合には、この記憶されている種類と、着脱後に装着されているカートリッジ１３の種類とに基づいて、着脱の前後で、カートリッジ１３の種類に変化があったかどうかを判断するようにしてもよい。なお、記憶されているカートリッジ１３の種類は、カートリッジ１３を着脱する前の記録ヘッド１４の動作内容に対応するものである。
【００８６】
上述した実施の形態にかかるプリンタ１は、記録実行機構４に、複数のカートリッジ１３を装着するものであるが、カートリッジ１３としては、１つのカートリッジの中に複数のインク室が形成され、各インク室毎に異なる色のインクが入っている形態のカートリッジが取り付けられる構成のものであってもよい。このような構成のカートリッジが１つ装着されるプリンタ１に装着される保護液カートリッジ１３Ｂは、複数のインク室を有するカートリッジの各インク室に保護液が入っている構成のものとなる。したがって、保護液フラッシングを行う場合には、全ての記録ヘッド１４について同時に行うようにする。そして、保護液フラッシングが行われた場合には、全ての記録ヘッド１４に対してフラッシングフラグを保持する。一方、保護液フラッシングを行った後、有色インクが入っているカートリッジを装着した場合には、全ての記録ヘッド１４について有色インクのフラッシングを行い、各記録ヘッド１４に対して保持されているフラッシングフラグを消滅させる。なお、かかる構成のカートリッジが装着されるプリンタ１については、記録ヘッド１４毎にフラッシングフラグを持つことなく、着脱する前の記録ヘッド１４の動作内容として１つのフラッシングフラグを保持するようにしてもよい。
【００８７】
また、カートリッジ１３としては、１色のみのインクが入っている１つのカートリッジが取り付けられる構成のものであってもよい。このような構成のカートリッジが１つ装着されるプリンタ１に装着される保護液カートリッジ１３Ｂは、１つのインク室に保護液が入っている構成のものとなる。
【００８８】
次に、特定色記録モード（ステップＳ３００）の具体的な動作を図４に示すフローチャートを参照しながら説明する。
【００８９】
この特定色記録モード（ステップＳ３００）は、図３に示すフローチャートのステップＳ４０、ステップＳ５０において、記録実行機構４に装着されているカートリッジ１３が有色インクカートリッジ１３Ａと保護液カートリッジ１３Ｂであると判断（ステップＳ４０においてＮｏ、かつステップＳ５０においてＮｏ）されると共に、特定色記録モード（ステップＳ３００）に移行する指示がユーザーからあった場合（ステップＳ９０においてＹｅｓ）のプリンタ１の動作モードである。したがって、特定色記録モード（ステップＳ３００）の初期状態において、記録実行機構４には、有色インクカートリッジ１３Ａと保護液カートリッジ１３Ｂの両方が装着されている。
【００９０】
特定色記録モード（ステップＳ３００）が開始されると、先ず、有色インクカートリッジ１３Ａが接続される記録ヘッド１４についてフラッシングフラグが保持されているものがあるかどうかを判断する（ステップＳ３１０）。そして、フラッシングフラグが保持されている記録ヘッド１４がある場合（ステップＳ３１０においてＹｅｓ）には、このフラッシングフラグが保持されている記録ヘッド１４に対して、給電を開始する（ステップＳ３１３）。次いで、制御部２３に構成されるフラッシング指令手段は、記録ヘッドドライバ２６に対して、この記録ヘッドドライバ２６がフラッシングフラグの対象になっている記録ヘッド１４に対して吐出動作を行うように指令を対して出す。つまり、この記録ヘッド１４に接続されている有色インクカートリッジ１３Ａの有色インクによりフラッシングを行う（ステップＳ３１５）。
【００９１】
フラッシングフラグが保持されている記録ヘッド１４に対しては、ステップＳ１９０、または後述ステップＳ３３０において給電が停止させられている。そのため、ステップＳ３１３で給電を開始した後、有色インクによりフラッシングを行う（ステップＳ３１５）。有色インクによるフラッシング（ステップＳ３１５）が行われた記録ヘッド１４についてのフラッシングフラグは、有色インクによるフラッシングが行われることで消滅する。有色インクによるフラッシング（ステップＳ３１５）が行われた記録ヘッド１４についての給電状態はそのまま維持される。給電状態が維持されることにより、特定色による記録動作（ステップＳ３５５）が行われた際に吐出制御信号に直ちに反応し、吐出動作を開始することができる。
【００９２】
記録ヘッド１４についてフラッシングフラグが保持されているかいないかを判別（ステップＳ３１０）することにより、記録ヘッド１４が過去に最後に行った動作内容を判別することができる。つまり、記録ヘッド１４にフラッシングフラグが保持されている場合は、過去に最後に行った動作内容は保護液フラッシングであったと判断できる。これに対し、フラッシングフラグが保持されていない場合は、過去に最後に行った動作内容は有色インクのフラッシングまたは記録動作による吐出動作であったと判断できる。そこで、ステップＳ３１０において、記録ヘッド１４が接続されるカートリッジ１３の種類と記録ヘッド１４に対するフラッシングフラグの有無（記録ヘッド１４が過去に最後に行った動作内容）とを比較する。そして、カートリッジ１３が有色インクカートリッジ１３Ａであり、これに接続される記録ヘッド１４に対してフラッシングフラグが保持されているものがある場合（ステップＳ３１０においてＹｅｓ）には、上述したように、この記録ヘッド１４に対し、有色インクのフラッシングを行う（ステップＳ３１５）。
【００９３】
ステップＳ３１０において、有色インクカートリッジ１３Ａが接続される記録ヘッド１４についてフラッシングフラグが保持されている場合とは、例えば、次のような場合である。プリンタ１が待機設定（ステップＳ１９０）とされている間に、装着されている保護液カートリッジ１３Ｂの一部を有色インクカートリッジ１３Ａに交換した場合である。つまり、プリンタ１が待機設定（ステップＳ１９０）とされている間は、装着されているカートリッジ１３は全て保護液カートリッジ１３Ｂである。そして、これらの保護液カートリッジ１３Ｂの一部が有色インクカートリッジ１３Ａに交換されることで、ステップＳ１２０、ステップＳ１３０において、記録実行機構４に有色インクカートリッジ１３Ａと保護液カートリッジ１３Ｂが装着されていると判断され（ステップＳ１２０においてＮｏ、ステップＳ１３０においてＮｏ）、特定色記録モード（ステップＳ３００）に移行した場合である。
【００９４】
このような場合には、保護液カートリッジ１３Ｂから有色インクカートリッジ１３Ａに交換された記録ヘッド１４から有色インクカートリッジ１３Ａまでの流路内には保護液が残っている。したがって、有色インクカートリッジ１３Ａが接続されていながら、フラッシングフラグが保持されている記録ヘッド１４に対して、ステップＳ３１５において、有色インクのフラッシングを行うことで、該流路内に残っている保護液を有色インクに置き換えることができる。
【００９５】
フラッシングフラグが保持されている記録ヘッド１４について有色インクによるフラッシング（ステップＳ３１５）が行われた後、あるいはステップＳ３１０において、有色インクカートリッジ１３Ａが接続される記録ヘッド１４についてフラッシングフラグが保持されていないと判断された場合（ステップＳ３１０においてＮｏ）には、保護液カートリッジ１３Ｂが接続される記録ヘッド１４についてフラッシングフラグが保持されていないものがあるかどうかを判断する（ステップＳ３２０）。そして、フラッシングフラグが保持されていない記録ヘッド１４がある場合（ステップＳ３２０においてＹｅｓ）には、制御部２３に構成されるフラッシング指令手段は、記録ヘッドドライバ２６に対して、この記録ヘッドドライバ２６がフラッシングフラグの対象になっていない記録ヘッド１４に対して吐出動作を行うように指令を対して出す。これにより、この記録ヘッド１４は、ここに接続されている保護液カートリッジ１３Ｂの保護液により保護液フラッシングが行われる（ステップＳ３２５）。
【００９６】
すなわち、ステップＳ３２０においては、記録ヘッド１４が接続されるカートリッジ１３の種類と記録ヘッド１４に対するフラッシングフラグの有無（記録ヘッド１４が過去に最後に行った動作内容）とを比較する。そして、カートリッジ１３が保護液カートリッジ１３Ｂであり、これに接続される記録ヘッド１４に対してフラッシングフラグが保持されていないものがある場合（ステップＳ３２０においてＹｅｓ）には、この記録ヘッド１４、すなわち保護液カートリッジ１３Ｂに接続すると共にフラッシングフラグが保持されていない記録ヘッド１４に対し、保護液フラッシングを行う（ステップＳ３２５）。なお、この保護液フラッシング（ステップＳ３２５）が行われた記録ヘッド１４については、フラッシングフラグが保持される。
【００９７】
ステップＳ３２０において、保護液カートリッジ１３Ｂが接続される記録ヘッド１４についてフラッシングフラグが保持されていない場合とは、例えば、次のような場合である。
【００９８】
すなわち、図３に示すフローチャートにおいて、カートリッジ１３の着脱が行われる前に装着されているカートリッジ１３が全て有色インクカートリッジ１３Ａであった場合に、装着されている有色インクカートリッジ１３Ａの一部を保護液カートリッジ１３Ｂに交換した場合である。つまり、これらの有色インクカートリッジ１３Ａの一部が保護液カートリッジ１３Ｂに交換されることで、ステップＳ１２０、ステップＳ１３０において、記録実行機構４に有色インクカートリッジ１３Ａと保護液カートリッジ１３Ｂが装着されていると判断され（ステップＳ１２０においてＮｏ、ステップＳ１３０においてＮｏ）、特定色記録モード（ステップＳ３００）に移行した場合である。
【００９９】
このような場合には、有色インクカートリッジ１３Ａから保護液カートリッジ１３Ｂに交換された記録ヘッド１４から保護液カートリッジ１３Ｂまでの流路内には有色インクが残っている。したがって、ステップＳ３２５において、保護液カートリッジ１３Ｂが接続されていながら、フラッシングフラグが保持されていない記録ヘッド１４に対して保護液フラッシングを行うことで、該流路内に残っている有色インクを保護液に置き換えることができる。
【０１００】
フラッシングフラグが保持されていない記録ヘッド１４について保護液フラッシング（ステップＳ３２５）が行われた後、あるいはステップＳ３２０において、保護液カートリッジ１３Ｂが接続される記録ヘッド１４についてフラッシングフラグが保持されていると判断された場合（ステップＳ３２０においてＮｏ）には、保護液カートリッジ１３Ｂが接続される記録ヘッド１４についての給電を停止する（ステップＳ３３０）。保護液カートリッジ１３Ｂが装着されている記録ヘッド１４については、記録動作を行うことがないため、スタンバイ状態を維持する必要がない。そこで、記録ヘッド１４の内、保護液カートリッジ１３Ｂが接続される記録ヘッド１４については給電を停止し（ステップＳ３３０）、プリンタ１の消費電力の低減を図るようにしている。
【０１０１】
次いで、特定色のインクのみによる記録を実行してよいかをユーザーに尋ねるメッセージをメッセージボード７に表示することで（ステップＳ３４０）、該メッセージをユーザーに通知する。そして、装着されている有色インクカートリッジ１３Ａのインク色のみによる記録が行われる特定色記録を行うかどうかの指示がユーザーからあるかどうかが判断され（ステップＳ３５０）、指示がある場合（ステップＳ３５０においてＹｅｓ）には、装着されている有色インクカートリッジ１３Ａのインク色に応じて特定色画像処理が行われ、特定色による記録が行われる（ステップＳ３５５）。特定色記録（ステップＳ５５）が終了した後は、ステップＳ３１０に戻り、上述したステップＳ３１０以降の処理が繰り返される。
【０１０２】
一方、記録動作が指示されない場合（ステップＳ３５０においてＮｏ）には、記録実行機構４に装着されているカートリッジ１３に着脱があるかどうかが判断される（ステップＳ３６０，ステップＳ３６５）。ステップＳ３６０においては、記録実行機構４に装着されているカートリッジ１３が取り外されたかどうかが判断され、取り外しが行われたと判断されない場合（ステップＳ３６０においてＮｏ）は、ステップＳ３４０、ステップＳ３５０、そしてステップＳ３６０の処理を繰り返す。
【０１０３】
記録実行機構４に装着されているカートリッジ１３が取り外され、取り外されたカートリッジ１３の箇所に新たにカートリッジ１３が装着された場合には（ステップＳ３６５においてＹｅｓ）、記録実行機構４に装着されているカートリッジ１３の種類を判別する（ステップＳ３７０）。そして、この判別したカートリッジ１３の種類に基づいて、記録実行機構４に装着されているカートリッジ１３の種類の組み合わせを判別する（ステップＳ３８０、ステップＳ３８５）。
【０１０４】
ステップＳ３８０、ステップＳ３８５の判別において、装着されているカートリッジ１３の種類が全て有色インクカートリッジ１３Ａであると判断された場合（ステップＳ３８０においてＹｅｓ）には、記録ヘッド１４についてのフラッシングフラグを判断し、フラッシングフラグが保持される記録ヘッド１４については、有色インクによるフラッシングを行う（ステップＳ３９０）。
【０１０５】
つまり、保護液カートリッジ１３Ｂを有色インクカートリッジ１３Ａに交換した場合には、記録ヘッド１４から有色インクカートリッジ１３Ａまでの流路内に保護液が残っている。そのため、この保護液を有色インクに置き換える（ステップＳ３９０）。そして、この有色インクのフラッシング（ステップＳ３９０）を行った後、図３に示すフローチャートのステップＳ２０に移行し、カートリッジ１３の着脱が行なわれるか、記録動作が指示される（ステップＳ６０においてＹｅｓ）まで、ステップＳ２０、ステップＳ４０、ステップＳ６０、そしてステップＳ２０の処理を繰り返す。
【０１０６】
ステップＳ３８０、ステップＳ３８５の判別において、装着されているカートリッジ１３の種類が全て保護液カートリッジ１３Ｂであると判断された場合（ステップＳ３８０においてＮｏ、かつステップＳ３８５においてＹｅｓ）には、記録ヘッド１４についてのフラッシングフラグを判断し、制御部２３に構成されるフラッシング指令手段の指令に基づき、フラッシングフラグを有していない記録ヘッド１４に対して保護液フラッシングを行う（ステップＳ３９５）。
【０１０７】
つまり、有色インクカートリッジ１３Ａを保護液カートリッジ１３Ｂに交換した場合には、記録ヘッド１４から保護液カートリッジ１３Ｂまでの流路内に有色インクが残っている。そのため、この有色インクを保護液に置き換える（ステップＳ３９５）。そして、この保護液フラッシング（ステップＳ３９５）を行った後、図３に示すフローチャートのステップＳ２０に移行し、カートリッジ１３の着脱が行なわれるまで、ステップＳ２０、ステップＳ３０、ステップＳ４０、ステップＳ５０、ステップＳ１９０、そしてステップＳ２０の処理を繰り返す。
【０１０８】
ステップＳ３８０、ステップＳ３８５の判別において、装着されているカートリッジ１３の種類が有色インクカートリッジ１３Ａと保護液カートリッジ１３Ｂの両方であると判断された場合（ステップＳ３８０においてＮｏ、かつステップＳ３８５においてＮｏ）には、ステップＳ３１０に戻って上述した処理が繰り返される。
【０１０９】
なお、上述した実施の形態においては、メッセージボード７により各種の通知をユーザーに対して通知することとしているが、音声による通知、あるいは警告音等の音による通知、またはＬＥＤ等を点滅させることによる光による通知を行うようにしてもよい。
【０１１０】
なお、上述の実施の形態におけるステップＳ４０，Ｓ５０、ステップＳ１２０，Ｓ１３０、およびステップＳ３８０，Ｓ３８５では、プリンタ１に装着されているカートリッジ１３の種類の組合せを制御部２３における組合せ判別手段にて行うこととしているが、種類判別手段により行うようにしてもよい。また、脱着の直前・直後でカートリッジ１３の種類が変化しているかどうかの判断を、上述の実施の形態ではフラッシングフラグの有無により判断しているが、種類判別手段によりカードリッジ１３の種類が変化しているかどうかを判断するようにしてもよい。また、本実施の形態のプリンタ１は、カートリッジ１３がキャリッジ１２に載置されているいわゆるオンキャリッジタイプと呼ばれる形態のものであるが、このタイプに限定されず、いわゆるカートリッジ１３がキャリッジ１２とは別の部分に配設されるいわゆるオフキャリッジタイプのものであっても良い。また、制御部２３の処理の一部または全部をホストコンピュータ２１等のプリンタ以外の装置が行っても良い。この場合には、例えば、ホストコンピュータ２１がインクジェットプリンタ１の制御装置として機能する。
【０１１１】
また、本実施の形態では、記録装置をインクジェットプリンタ１に具体化したが、この限りではなく、インク以外の他の液体（機能材料の粒子が分散されている液状体、ジェルのような流状体などを含む）を噴射したり吐出する記録装置に具体化することもできる。
【図面の簡単な説明】
【０１１２】
【図１】本発明の実施の形態に係るプリンタの全体的な概略の構成を示す斜視図である。
【図２】図１に示すプリンタの電気的な構成の概略を示す回路ブロック図である。
【図３】プリンタの動作を示すスローチャートである。
【図４】プリンタの特定色記録モードにおける動作を示すスローチャートである。
【符号の説明】
【０１１３】
１  …  インクジェットプリンタ（記録装置）    ７  …  メッセージボード（通知手段）    １３  …  カートリッジ    １３Ａ  …  有色インクカートリッジ（記録液入りカートリッジ）    １３Ｂ  …  保護液カートリッジ（保護液入りカートリッジ）    １５  …  ＩＣチップ（種類判別手段、組合せ判別手段の一部を構成する。）  情報取得部  …  １６（種類判別手段、組合せ判別手段の一部を構成する。）    １７  …  ＣＰＵ（着脱検出手段、種類判別手段、組合せ判別手段、画像処理手段の一部を構成する。）
【図１】
2009034875.tif 000003
【図２】
2009034875.tif 000004
【図３】
2009034875.tif 000005
【図４】
2009034875.tif 000006